(57)【要約】【課題】介護を要する弱者の着席と立脚過程で、弱者本人はもちろん、介護者の労力の限界による転倒事故が後を絶たない現状から、又座席からの立脚リハビリ訓練の家庭でも有効に使用可能な座椅子及び車椅子が望まれていた。【解決手段】弱者の立脚に近い状態で座椅子の背もたれによりかかるだけで、座板が自動的に弱者の中腰状態時の身体労力限界を幇助して安全に着席させ、立脚の場合にも、完全な立脚までの弱者幇助を行い、介護者による幇助労力をも削減し、常設座椅子から簡易トイレ、風呂浴室の種々状況の幇助、ひいては車椅子装着により弱者への助けとする。【選択図】図１
2005224558.tif 000002
【特許請求の範囲】
【請求項１】
椅子ベース板（１）には、平行運動起点柱（２）と一体の固子固定脚（３）が固着される。
左右の平行運動起点柱（２）の起点柱上部起点（４）と起点柱下部起点（５）を基準にして位  置きめされた、左右の背もたれ上部起点（６）と背もたれ下部起点（７）とを持った背もたれ板（８）との間で、稼働可能な状態で結合する上部座板（９）と下部座板（１０）を有する。
椅子固定脚（３）に設置された押し上げ軸（１１）を持った押上げ動力機（１２）が装着され、押上げ軸（１１）上端は下部座板（９）又は上部座板（１０）の適い場所に結続される。
肘掛け位置替え孔（１３）を持った背もたれ板（８）には、各種形状の座板稼働スイッチ付き転移肘掛け（１４）が装着された、着席立脚幇助椅子。
【請求項２】
押上げ動力機（１２）が電気駆動の、請求項１記載の、着席立脚幇助椅子。
【請求項３】
押上げ動力機（１２）が油圧駆動の、請求項１乃至２記載の、着席立脚幇助椅子。
【請求項４】
押上げ動力機（１２）が空気圧駆動の、請求項１乃至３記載の、着席立脚幇助椅子。
【請求項５】
押上げ動力機（１２）がガスシリンダーの、請求項１乃至４記載の、着席立脚幇助椅子。
【請求項６】
押上げ動力機（１２）がスプリングの、請求項１乃至５記載の、着席立脚幇助椅子。
【請求項７】
押上げ動力機（１２）が菱型ジャッキの、請求項１乃至６記載の、着席立脚幇助椅子。
【請求項８】
上部座板（９）の臀部接触部位がクッション性素材で構成され、背もたれ板（８）、転位肘掛け（１４）の一部又は全部にソフト感触被服が施された、請求項１乃至７記載の、着席立脚幇助椅子。
【請求項９】
椅子ベース板（１）と、上部座板（９）の中央開口部（１５）間の空間に、簡易トイレ（１６）を設置した、請求項１乃至８記載の、着席立脚幇助椅子。
【請求項１０】
人力横行車椅子、或は電動車椅子に装着された、請求項１乃至９記載の、着席立脚幇助椅子。
【請求項１１】
椅子ベース板（１）に、移動時に使用する移動用転移車輪（１７）が装着された、請求項１乃至１０記載の、着席立脚幇助椅子。
【発明の詳細な説明】
【技術分野】
【０００１】  本発明は、家庭用から病院、或は介護施設用、船舶から航空機にいたるすべての居住空間で、病弱者、老人介護にかかわる、座椅子、簡易様式トイレ、及び各種混合用途にかかわるものである。
【背景技術】
【０００２】  従来の老人介護、病弱者介護椅子、或は各種の車椅子は、単なる固定式の椅子機能に過ぎない。【０００３】  しかし、これらを使用する身体機能は、着席する時、或は立脚する時の心拍数、筋肉収縮労力は、本人にとっては致命傷にもなりかねない重労働である。【０００４】  それを、単に、筋肉萎縮防止を前面に押し出して、自力での着席、起立を余儀なくさせられている。【０００５】  これは逆に自立意識を消滅させる事にもつながっており、無理に自己意識で行動したが為に転倒して骨折、或は自宅トイレの様な気温環境の変化での血管収縮による脳溢血事故も後を絶たない。
【課題を解決する手段】
【０００６】
【０００７】  これらの弱体者の意志を尊重し、或は介護者の意志によって、弱体者の体力に応じた機能性ある座椅子を提供すべきである。
【０００８】  例えば、立脚は可能であるが、ひざの屈曲での体重維持は不可能な弱者には、椅子の背もたれに持たれ掛かる事によって自動的に、本人自意識無しでも座席に座る事が可能な事も重要で有る。
【０００９】  又、肘掛けに体重を或る程度依存すれば着席可能、又起立も同様な場合は、押し上げ駆動の種類を変えるか、又は着席する座板の、傾斜角度の調整も可能な様に転移肘掛けを座板稼働スイッチ付き転移肘掛けとして、自立心の高揚にも役立つものが必要である。
【００１０】  これらの機能を、移動用の車椅子に装着すれば、今後の介護社会には、弱者はもとより、介護者自体の労力削減にもつながり、大きな変革を来すであろう。
【発明の効果】
【００１１】  本発明は、弱者の意のままに、弱者自身で操作可能な全自動から、判断不能な痴呆症併発弱者用の介護者操作専用の切り替え式まで、同一機種で、用途に応じて自由に選択可能で有ることも特徴とした。
【００１２】  同時に、自宅介護の介護人、介護士、看護士不足の現況で、弱者自体の効用と共に、忘れてはいけない重要な問題点は、介護者の省労力で有り、この二つが両立しないものは、介護機器としては失格で有る事を認識して発明された。
【００１３】  従って、いかなる環境においても、いかなる用途でも、又弱者の身体状況にマッチし、介護者の労力削減と、使用感覚の満足性に於て、総合的な効果を発揮するものである。
【発明を実施実施するための最良の形態】
【００１４】  上述した本発明の機能と効果を、いかに低廉価格で、安全に使用できる製品にするかは簡潔機構で、軽量かつ堅牢にする事である。
【００１５】  そのために本体素材の強度部材は中空丸型鋼管、中空角型型鋼管を溶接又はボールト結合で構成し、必要に応じた表面防護安全被服構成にしたが、強度部材と木材の共合、或は木材のみによる自然感覚も重要である事から実施した。
【００１６】  同時に、必要動力は、基本形状はそのままに、一部の押し上げ動力機の機種変更で用途目的に合致した製品が可能である様にした。
【実施例】
【００１７】
【００１８】  数ある実施例から、請求項に基づいて説明する。【００１９】  「請求項１」は、「図１」に示す様に、押し上げ動力機（１２）に、電気駆動機を使用したものである。【００２０】  先ず、着席時に、椅子が逃げる事の危険防止で椅子ベース板（１）を装着して、着席時には使用者が椅子ベース板（１）に搭乗する事によって、椅子本体の固定脚（３）が位置固定化され、背もたれ板（８）に寄り添っても椅子は逃げないように設計された。【００２１】  椅子固定脚（３）と一体の平行運動起点柱（２）には起点柱上部起点（４）、起点柱下部起点（５）設置されており、背もたれ板（８）下部位には、背もたれ上部起点（６）、背もたれ下部起点（７）が設置される。【００２２】  左右の起点柱上部起点（４）と背もたれ上部起点（６）、及び起点柱下部起点（５）と背もたれ下部起点（７）との間には、上部座板（９）及び下部座板（１０）が、稼働可能な状態で装着される事によって直接臀部位が接触する上部座板（９）が立脚幇助になる位置迄傾斜するが、背もたれ板（８）は垂直移動して後部転倒の危険性はない。【００２３】  背もたれ板（８）の左右両端には、肘掛け位置替え孔（１３）が施されており、左右連結又は左右独立の転移肘掛け（１４）が、使用者体格によって肘掛け位置替え孔（１３）の選択で適当な位置に装着される。【００２４】  この転移肘掛け（１４）は、用途に応じた種々形状に設計されるが、押し上げ駆動機（１２）が電動の場合には軌道停止スイッチを装着、又形状設計の時点では、本発明からベッド就寝時に上部約９０度回転で転移格納してベッド横つけ、スライド移乗で介護者労力軽減も可能な様に留意した。【００２５】  この押上げ動力機（１２）に、電気駆動機を使用したが、一定位置での使用にはＡＣ電源を使用したが、ＡＣ電源がない場所、或は絶えず移動して使用する場合には、蓄電池仕様のＤＣ電源を使用した。【００２６】  このＤＣ電源を使用する場合、蓄電池仕様と、ＡＣ電源からＤＣ変換仕様も実施したがＤＣ電源の場合には、「図５」「図６」「図７」「図８」に示す様に「車椅子」車載用にも利用できるものであり、「図５」は押上げ動力機（１２）にガスシリンダーを装着して、浴室入浴介護にも利用できるものである。【００２７】  「請求項２」は、電動駆動ではあるが各種のギアーによる昇降を利用したものであり、半円内輪ギアー方式から楕円形移動板による昇降方式迄、あらゆる機構の実施も行った。【００２８】  「請求項３」及び「請求項４」は、「図３」に示す様にシリンダーによる押し上げ軸（１１）で、体重の大きな弱者用で、押し上げ動力に大きなトルクを要する場合、介護者足踏み油圧ポンプ、又は電動油圧ポンプによる油圧シリンダー昇降方式、或は圧縮空気源を利用した空気シリンダー昇降方式で、その効果を確認したが、残念ながら製造原価の上昇は、機構的にやむを得ない事である。【００２９】  「請求項５」及び「請求項６」は、一定圧力のガスシリンダー、或はスプリング装填のシリンダーを使用したが、この両者共、非常に有効な結果を視るに至り、着席使用しない時は耐えず座席板は規定角度で傾斜した状態に有り、又ガスシリンダーは浴室介護にも有効で、非常に有効であった。【００３０】  「請求項７」は、電動、又は介護者の手動によって稼働する菱形ジャッキ昇降機能を装着したものであり、自動昇降の場合は弱者による電気スイッチにより昇降、介護者駆動による手動も有効であった。【００３１】  「請求項８」は、「図３」の様に強度部材の感触を和らげるため、全体的に柔軟材装填の被覆加工によって、常時使用するソフト感覚を持って介護効果に貢献する事も行った。【００３２】  「請求項９」は、簡易トイレの座席に使用するため、椅子ベース板（１）上に設置した簡易トイレ（１６）の汚物落下投入が可能な様に、上部部座板（９）と下部座板を貫通した開口部（１５）を持ち、上部座板（９）が水平になった位置で簡易トイレ（１６）の落下投入口と上部座板（９）の開口部（１５）が結合される構造とした。【００３３】  「請求項１０」は「図５」「図６」「図７」「図８」に示すように人力或は動力による走行の車椅子に装着して、自力、又は介護者幇助による車椅子からの離脱下車を容易にするものであり、この場合も、動力車の場合はＤＣ電源により昇降角度を自由に選択可能とし、人力車椅子の場合も、自動的にある一定のトルクによって上部座板（９）及び下部座板（１０）の上昇により、介護者労力の削減にもつながった。【００３４】  この車椅子の主車輪直系円周上端を上部座板（９）以下の高さにした理由は、前述「００２４」の肘掛け回転格納と同様の、ベッドからの転乗の際にそのまま横滑り乗車の意味である。【００３５】  「請求項１１」は、「図１」「図２」「図４」に示す様に、弱者不使用中の本発明を、ある場所に移動、又は格納する場合に、移動用転移車輪（１７）の回転可能軸を椅子ベース板（１）下部位置に回して位置替えする事によって、簡単に車輪で引き回しが可能としたが、弱者が使用する場合は本発明が転がり可能な状態での使用は不安定で危険であるため、必ず椅子ベース板（１）は床、畳、等の上に接して、尚かつ使用者は椅子ベース板（１）場に立っての使用がベターである事には間違いない。
【産業上の利用可能性】
【００３６】  本発明は、一般家庭の在宅介護、特別養護老人ホムの入所介護、デイサービス、一般病院の各診療科、車椅子購入者及びその製造社、場合によっては各種乗り物常設等々、簡易トイレを使用する全弱者、時には浴槽での使用によって転倒の危険性防除、常設トイレ設置での余病併発防止にも、あらゆるところでの有効性が期待される。【００３７】  又、本発明は人類が生存するかぎり全世界共通の用途が視込まれ、その意味からも、先進国から発展途上国迄の、高所得層から低所得層にいたるあらゆる人類階層を対象とした製品ランクも必要なため、シンプル機構とした。
【図面の簡単な説明】
【００３８】
【図１】押上げ動力機が電動機の着席立脚幇助椅子で、座板角度を任意位置に稼働可能想定した骨格の側面図である。
【図２】押上げ動力機が電動機で２基装着した着席立脚幇助椅子で、座板角度を着席位置にセットした骨格の正面図である。
【図３】座板、背もたれ、肘掛けにソフト緩衝材を装着し、常時立脚位置と体重加重による着席位置都を示した、ガスシリンダー、空気シリンダー、油圧シリンダー等による着席立脚幇助椅子の側面図である
【図４】座板中央に開口部を持ち、椅子ベース板上に簡易トイレを装着した着席立脚幇助椅子で、着席位置と立脚した時の座板及び背もたれの移動過程を示した側面図である。
【図５】車椅子に、押上げ動力機にガスシリンダーを装着し、入浴介護にも使用可能な、着席立脚幇助椅子の側面図である。
【図６】車椅子に、押上げ動力機に電動シリンダーを装着した着席立脚幇助椅子の、着席時の側面図と正面図である。
【図７】車椅子に、押上げ動力機に電動シリンダーを装着、着性寸前、或は立脚寸前の、着席立脚幇助椅子の側面図である。
【図８】車椅子に、押上げ動力機に電動シリンダーを装着、着性寸前、或は立脚寸前で、転移肘掛けを直立収納した、着席立脚幇助椅子の側面図である。
【符号の説明】
【００３９】１    椅子ベース板
２    平行運動起点柱
３    椅子固定脚
４    起点柱上部起点
５    起点柱下部起点
６    背もたれ上部起点
７    背もたれ下部起点
８    背もたれ板
９    上部座板
１０  下部座板
１１  押上げ軸
１２  押上げ動力
１３  肘掛け位置替え孔
１４  転移肘掛け
１５  開口部
１６  簡易トイレ
１７  移動用転移車輪
【図１】
2005224558.tif 000003
【図２】
2005224558.tif 000004
【図３】
2005224558.tif 000005
【図４】
2005224558.tif 000006
【図５】
2005224558.tif 000007
【図６】
2005224558.tif 000008
【図７】
2005224558.tif 000009
【図８】
2005224558.tif 000010